(57)【要約】【課題】筐体の内部に、複数のキーを具えたキー入力装置が収容され、筐体を構成する前面キャビネット５に開設した第１開口51及び第２開口52から前記複数のキーが露出している携帯端末機において、前面キャビネット５の第１開口51と第２開口52の間に形成されている桟部53の湾曲を防止する。【解決手段】本発明に係る携帯端末機において、前面キャビネット５の桟部53には、前記キー入力装置を構成するベース板71へ向けて、少なくとも１つの連結リブ55が突設され、該連結リブ55の先端部が前記ベース板71に開設されたスリット73に密に嵌合して、前面キャビネット５の桟部53がキー入力装置のベース板71に連結されている。【選択図】図７
2008104127.tif 000002
【特許請求の範囲】
【請求項１】
筐体(１)の内部に、複数のキー(11)(12)を具えたキー入力装置が収容され、筐体(１)を構成する前面キャビネット(５)に開設した第１開口(51)及び第２開口(52)から前記複数のキー(11)(12)が操作可能に露出している携帯端末機において、前面キャビネット(５)の第１開口(51)と第２開口(52)の間に形成されている桟部(53)には、前記キー入力装置へ向けて、少なくとも１つの連結リブ(55)が突設され、該連結リブ(55)の先端部が前記キー入力装置を構成するベース板(71)に開設されたスリット(73)に対して密に嵌合して、前面キャビネット(５)の桟部(53)がキー入力装置のベース板(71)に連結されていることを特徴とする携帯端末機。
【請求項２】
前面キャビネット(５)の桟部(53)には、桟部(53)の長手方向に沿って前記連結リブ(55)の側方に、前記ベース板(71)へ向けて、少なくとも１つの補強リブ(54)が突設され、該補強リブ(54)は、前記キー入力装置のベース板(71)に開設されたスリット(72)に対して遊びをもって嵌合している請求項１に記載の携帯端末機。
【請求項３】
前記補強リブ(54)は桟部(53)の中央位置に配置されると共に、該補強リブ(54)の両側にそれぞれ前記連結リブ(55)が配置されている請求項２に記載の携帯端末機。
【請求項４】
前面キャビネット(５)の桟部(53)の補強リブ(54)及び連結リブ(55)(55)はそれぞれ、桟部(53)の長手方向に長い形状を有している請求項２又は請求項３に記載の携帯端末機。
【請求項５】
前面キャビネット(５)の第１開口(51)と第２開口(52)は、互いに平行な直線上を伸びる開口縁を有し、両開口縁の間に前記桟部(53)が形成されている請求項１乃至請求項４の何れかに記載の携帯端末機。
【請求項６】
前面キャビネット(５)の桟部(53)の連結リブ(55)は、先端に向かって幅が拡大している請求項１乃至請求項５の何れかに記載の携帯端末機。
【発明の詳細な説明】
【技術分野】
【０００１】
本発明は、携帯電話機の如く、扁平な筐体の表面に複数のキーが操作可能に露出している携帯端末機に関するものである。
【背景技術】
【０００２】
折り畳み式携帯電話機においては、図１０及び図１１に示す如く、複数のテンキー(11)や機能キー(12)を具えた操作側筐体(10)と、ディスプレイ(21)を具えた表示側筐体(２)とが、ヒンジ機構(３)により互いに連結されて、図１０に示す閉じ状態と図１１に示す開き状態の間で開閉が可能となっている。
【０００３】
従来の一般的な折り畳み式携帯電話機においては、操作側筐体(10)の前面キャビネットに、複数のキーをキー毎に露出させるための複数の小さな開口が形成され、これによって複数の開口の間には桟部が格子状に形成されることとなっていたが、近年においては、図１１に示す様に、操作側筐体(10)の前面キャビネットに２つの大きな開口(51)(52)を形成して、第１開口(51)からは複数のテンキー(11)を露出させると共に、第２開口(52)からは複数の機能キー(12)を露出させる構成の採用により、前記桟部を省略し、各キーの操作面の拡大若しくはキー配列ピッチの狭小化を図った携帯電話機が開発されている。
【０００４】
ところで、テンキー(11)と機能キー(12)とは区分して配置することが望ましいため、複数のテンキー(11)を露出させるための第１開口(51)と複数の機能キー(12)を露出させるための第２開口(52)の間には、桟部(50)が残されている。
この場合、操作側筐体(10)の前面キャビネットには、２つの大きな開口(51)(52)が開設されると共に、両開口(51)(52)間に細長い桟部(50)が形成されることになるため(図６に示す本発明の携帯電話機の桟部(53)を参照)、前面キャビネットの樹脂成型時に、桟部(50)には他の部分よりも浮き上がる方向の反りを生じて、桟部(50)がアーチ状に湾曲する虞があった。
【０００５】
この様に桟部(50)がアーチ状に湾曲すると、操作側筐体(10)と表示側筐体(２)を閉じたとき、該桟部(50)の中央部が表示側筐体(２)のディスプレイ(21)の画面に接触し、画面に損傷を与える問題がある。
そこで従来は、図１０に示す如く操作側筐体(10)と表示側筐体(２)を閉じたときに両筐体(10)(２)間に十分な隙間Ｇを与える構成が採用されていたが、これによって携帯電話機の厚さが大きくなる問題がある。
【０００６】
合成樹脂製のキャビネットの成型時の反りを抑制する方法としては、キャビネットの裏面に補強リブを突設することにより、キャビネット単体としての強度を増大させる方法が広く採用されている(例えば特許文献１参照)。
【特許文献１】特開平７−２７４２７３号公報［H04R1/02］
【発明の開示】
【発明が解決しようとする課題】
【０００７】
ところが、補強リブによって反りを防止する方法だけでは、特にキャビネットの肉厚が小さい場合、キャビネットの湾曲を十分に抑制することが出来ず、十分な隙間Ｇを確保したり、キャビネット自身の肉厚を大きくしたりすることが必要となって、依然として携帯電話機の厚さが大きくなる問題が残されていた。
【０００８】
本発明の目的は、筐体を構成する前面キャビネットの２つの開口から複数のキーが露出している携帯端末機において、前面キャビネットの２つの開口の間に形成される桟部の湾曲を確実に防止することである。
【課題を解決するための手段】
【０００９】
本発明に係る携帯端末機においては、筐体(１)の内部に、複数のキー(11)(12)を具えたキー入力装置が収容され、筐体(１)を構成する前面キャビネット(５)に開設した第１開口(51)及び第２開口(52)から前記複数のキー(11)(12)が操作可能に露出している。
ここで、前面キャビネット(５)の第１開口(51)と第２開口(52)の間に形成されている桟部(53)には、前記キー入力装置へ向けて、少なくとも１つの連結リブ(55)が突設され、該連結リブ(55)の先端部が前記キー入力装置を構成するベース板(71)に開設されたスリット(73)に対して密に嵌合して、前面キャビネット(５)の桟部(53)がキー入力装置のベース板(71)に連結されている。
【００１０】
上記本発明の携帯端末機においては、前面キャビネット(５)の第１開口(51)と第２開口(52)の間に形成されている桟部(53)に、連結リブ(55)が突設されて、前面キャビネット(５)単体としての剛性が高められているので、前面キャビネット(５)を樹脂成型した場合の桟部(53)の反りを最小限に抑制することが出来る。更に、本発明の携帯端末機の組立状態では、前記桟部(53)の連結リブ(55)がキー入力装置のベース板(71)に開設されたスリット(73)に対して密に嵌合して、前面キャビネット(５)の桟部(53)がキー入力装置のベース板(71)に連結されているので、樹脂成型時に桟部(53)に多少の反りが残っていたとしても、該桟部(53)がキー入力装置のベース板(71)側に引っ張られて反りが矯正されることになる。
【００１１】
具体的構成において、前面キャビネット(５)の桟部(53)には、桟部(53)の長手方向に沿って前記連結リブ(55)の側方に、前記ベース板(71)へ向けて、少なくとも１つの補強リブ(54)が突設され、該補強リブ(54)は、前記キー入力装置のベース板(71)に開設されたスリット(72)に対して遊びをもって嵌合している。
更に具体的には、前記補強リブ(54)は桟部(53)の中央位置に配置されると共に、該補強リブ(54)の両側にそれぞれ前記連結リブ(55)が配置されている。
【００１２】
上記具体的構成によれば、補強リブ(54)及び連結リブ(55)(55)が共に前面キャビネット(５)の樹脂成型時の強度を増大させ、連結リブ(55)(55)が専ら組立後の桟部(53)の湾曲を矯正する。
【発明の効果】
【００１３】
本発明に係る携帯端末機によれば、前面キャビネット(５)の桟部(53)に突設した連結リブ(55)をキー入力装置のベース板(71)のスリット(73)に嵌合させた簡易な構造により、桟部(53)の湾曲を確実に防止することが出来、これによって携帯端末機の更なる薄型化が可能である。
【発明を実施するための最良の形態】
【００１４】
以下、本発明を折り畳み式携帯電話機に実施した形態につき、図面に沿って具体的に説明する。
本発明に係る折り畳み式携帯電話機は、図１及び図２に示す如く、複数のテンキー(11)や機能キー(12)を具えた操作側筐体(１)と、ディスプレイ(21)を具えた表示側筐体(２)とが、ヒンジ機構(３)により互いに連結されて、図１に示す閉じ状態と図２に示す開き状態の間で開閉が可能となっている。
【００１５】
操作側筐体(１)は、図３に示す様に、背面カバー(41)を具えた背面キャビネット(４)と前面キャビネット(５)とを互いに接合して構成され、両キャビネット(４)(５)の間に、前記複数のキーを具えたキートップアセンブリ(７)と、各キーに対応する接点を具えたキーシート(８)と、キーシート(８)からの信号を受けて動作する回路基板(６)とが配備されている。
【００１６】
前面キャビネット(５)には、図６に示す如く、キートップアセンブリ(７)の複数のテンキー(11)を露出させるための第１開口(51)と、キートップアセンブリ(７)の複数の機能キー(12)を露出させるための第２開口(52)とが、それぞれ矩形状に開設されており、第１開口(51)と第２開口(52)の間には、両開口(51)(52)の互いに平行な開口縁によって規定される細長い桟部(53)が形成されている。
前面キャビネット(５)の桟部(53)の裏面には、図７に示す如くその長手方向の中央位置に、桟部(53)の長手方向に長い補強リブ(54)が突設されると共に、該補強リブ(54)の両側には、桟部(53)の長手方向に長い一対の連結リブ(55)(55)が突設されている。
【００１７】
キートップアセンブリ(７)は、図６の如く、ポリカーボネート製のベース板(71)の表面に、それぞれ複数のテンキー(11)及び機能キー(12)を配列して構成されている。
該ベース板(71)には、図７に示す様に、前面キャビネット(５)の桟部(53)の補強リブ(54)に対応して、１つの第１スリット(72)が開設されると共に、桟部(53)の連結リブ(55)(55)に対応して、一対の第２スリット(73)(73)が開設されている。
【００１８】
前面キャビネット(５)に対してキートップアセンブリ(７)が組み立てられた状態で、図４の如く前面キャビネット(５)の第１開口(51)からは複数のテンキー(11)が露出すると共に、第２開口(52)からは複数の機能キー(12)が露出する。
又、図５の如く、キートップアセンブリ(７)のベース板(71)には、前記第１スリット(72)に対して、前面キャビネット(５)の補強リブ(54)が嵌入すると共に(図８参照)、前記第２スリット(73)(73)に対して、前面キャビネット(５)の連結リブ(55)(55)が嵌入する(図９参照)。
【００１９】
図８の如くキートップアセンブリ(７)のベース板(71)の第１スリット(72)に前面キャビネット(５)の桟部(53)の補強リブ(54)が嵌入した状態では、桟部(53)の長手方向とは直交する断面において補強リブ(54)の幅Ｗ１よりも第１スリット(72)の幅Ｗ２が僅かに大きく、補強リブ(54)の両側に所定のクリアランス(約０.１ｍｍ)が形成される。
又、キートップアセンブリ(７)のベース板(71)の裏面は、第１スリット(72)を含む領域が両面接着テープ(70)によりキーシート(８)の表面に貼着固定されている。
【００２０】
これに対し、図９の如くキートップアセンブリ(７)のベース板(71)の第２スリット(73)に前面キャビネット(５)の桟部(53)の連結リブ(55)が嵌入した状態では、桟部(53)の長手方向とは直交する断面において連結リブ(55)の最小幅Ｗ１と第２スリット(73)の最小幅Ｗ２とが一致し、若しくは連結リブ(55)の最小幅Ｗ１が第２スリット(73)の最小幅Ｗ２よりも僅かに大きい、密なる嵌合状態となっている。
前面キャビネット(５)にキートップアセンブリ(７)を組み込む際、連結リブ(55)を第２スリット(73)へ圧入することによって、前面キャビネット(５)の桟部(53)がキートップアセンブリ(７)のベース板(71)に連結されて、桟部(53)の成型時の反りが矯正されている。
【００２１】
ここで、前面キャビネット(５)の桟部(53)の連結リブ(55)が、桟部(53)の長手方向とは直交する断面において先端に向かって僅かに拡大した形状を有していれば、連結リブ(55)の第２スリット(73)からの抜け出しをより確実に阻止して、前面キャビネット(５)の桟部(53)の反りのない状態をより確実に維持することが出来る。
【００２２】
上述の如く本発明に係る折り畳み式携帯電話機においては、前面キャビネット(５)の桟部(53)に１つの補強リブ(54)と２つの連結リブ(55)(55)を突設した構造によって、樹脂成型時の桟部(53)の反りを最小限に抑えることが出来、更に、組立状態においては前面キャビネット(５)の桟部(53)の連結リブ(55)(55)をキートップアセンブリ(７)のベース板(71)の第２スリット(73)(73)に密に嵌合させた構成によって、前面キャビネット(５)の桟部(53)に残っている反りを矯正し、桟部(53)の湾曲変形を完全に防止することが出来る。
この結果、図１の如く操作側筐体(１)と表示側筐体(２)を閉じた状態における両筐体(１)(２)間のクリアランスを最小限に抑えることが出来、これによって携帯電話機の更なる薄型化が実現される。
【００２３】
又、前面キャビネット(５)の桟部(53)の補強リブ(54)については、キートップアセンブリ(７)のベース板(71)の第１スリット(72)に遊びをもって嵌合させた構造により、両側の２つの連結リブ(55)(55)の第２スリット(73)(73)に対する密なる嵌合を容易なものとすることが出来る。
【００２４】
尚、本発明の各部構成は上記実施の形態に限らず、特許請求の範囲に記載の技術的範囲内で種々の変形が可能である。例えば、前面キャビネット(５)の桟部(53)の補強リブ(54)を省略し、桟部(53)には１或いは複数の連結リブ(55)のみを突設した構造を採用することも可能である。
又、本実施例では、補強リブ(54)を１個、連結リブ(55)を２個として、補強リブ(54)を連結リブ(55)よりも長く形成しているが、補強リブ(54)や連結リブ(55)のそれぞれの長さや個数は、前面キャビネット(５)やキートップアセンブリ(７)のベース板(71)の材質などによるすべり易さの程度(摩擦の程度)を考慮して、適宜決定するものとする。
【図面の簡単な説明】
【００２５】
【図１】本発明に係る折り畳み式携帯電話機の閉じ状態を示す斜視図である。
【図２】本発明に係る折り畳み式携帯電話機の開き状態を示す斜視図である。
【図３】該携帯電話機の操作側筐体の分解斜視図である。
【図４】キートップアセンブリが組み込まれた前面キャビネットを表面側から見た斜視図である。
【図５】キートップアセンブリが組み込まれた前面キャビネットを裏面側から見た斜視図である。
【図６】前面キャビネットとキートップアセンブリを表面側から見た分解斜視図である。
【図７】前面キャビネットとキートップアセンブリを裏面側から見た分解斜視図である。
【図８】操作側筐体の補強リブにおける断面図である。
【図９】操作側筐体の連結リブにおける断面図である。
【図１０】従来の折り畳み式携帯電話機の閉じ状態を示す斜視図である。
【図１１】従来の折り畳み式携帯電話機の開き状態を示す斜視図である。
【符号の説明】
【００２６】
(１)  操作側筐体
(11)  テンキー
(12)  機能キー
(２)  表示側筐体
(21)  ディスプレイ
(３)  ヒンジ機構
(４)  背面キャビネット
(５)  前面キャビネット
(51)  第１開口
(52)  第２開口
(53)  桟部
(54)  補強リブ
(55)  連結リブ
(６)  回路基板
(７)  キートップアセンブリ
(70)  両面接着テープ
(71)  ベース板
(72)  第１スリット
(73)  第２スリット
(８)  キーシート
【図１】
2008104127.tif 000003
【図２】
2008104127.tif 000004
【図３】
2008104127.tif 000005
【図４】
2008104127.tif 000006
【図５】
2008104127.tif 000007
【図６】
2008104127.tif 000008
【図７】
2008104127.tif 000009
【図８】
2008104127.tif 000010
【図９】
2008104127.tif 000011
【図１０】
2008104127.tif 000012
【図１１】
2008104127.tif 000013